(57)【特許請求の範囲】
【請求項１】
複数の有底収納室(6) をリング状に配列して、内側に上下に開放した中央空所(15)を形成して容器体(1) を構成し、前記各収納室(6) に開閉用の蓋体(9) をヒンジ(14)により一体結合した合成樹脂製集合容器であって、前記ヒンジ(14)を容器体(1) の外側に位置させると共に、前記収納室(6) の閉状態で、前記蓋体(9) の先端部分である指掛け片(13)を、前記容器体(1) の内側である中央空所(15)に突出させる構成とし、周方向に沿って隣り合った前記ヒンジ(14)間に、該ヒンジ(14)に近接して、該ヒンジ(14)の側端角部に、指先等が強く引っ掛かるもしくは押し付けられるのを阻止する、前記ヒンジ(14)の側端の高さと略等しい突出高さのガード突片(8) を突設させる構成とした合成樹脂製集合容器。
【請求項２】
収納室(6) の容量を、２種類以上に分けて設定した請求項１記載の合成樹脂製集合容器。
【発明の詳細な説明】
【０００１】
【発明が属する技術分野】
本発明は、錠剤等を小分け収納して携帯するのに便利な、合成樹脂製集合容器に関するものである。
【０００２】
【従来の技術】
複数の小室である収納室を並列に配置し、各収納室に開閉用の蓋体をヒンジを介して設けた、合成樹脂製一体成形物である集合容器として、例えば実開平６−２６８７９号公報に開示された技術がある。
【０００３】
上記した従来の合成樹脂製集合容器は、容器本体の中心部に、乾燥剤を入れるための乾燥剤室を設け、この乾燥剤室の周囲に、小分けした薬を入れるための複数の小室を放射状にそれぞれ配置し、各小室と乾燥剤室とを連通させた構成となっている。
【０００４】
各小室は、それぞれヒンジを介して一体に設けたふた部材で開閉自在となっており、各小室に小分けして収納した薬を、各小室別に出し入れすることができるようになっている。
【０００５】
【発明が解決しようとする課題】
しかしながら、上記した従来技術にあっては、中心部に乾燥剤室が形成され、この乾燥剤室の周囲に、複数の小室を放射状に配置したので、各小室を開閉するふた部材は、無理のない開閉操作を得るために、ヒンジを乾燥剤室側（中央側）に位置させ、その先端部分である指掛け片を、容器本体の外周面から外方に突出させており、このため携帯時および取扱い時に、この突出した指掛け片が他物品に引っ掛かって、小室が不正開放される、と云う問題があった。
【０００６】
また、開放姿勢となった各ふた部材は、中央部に集まる状態となるので、容器全体を合成樹脂で一体成形することは、金型構造上きわめて困難であり、このため組立て構造としなければならず、複数の金型装置を必要とすると共に、組立て作業を必要とする、と云う問題があった。
【０００７】
そこで、本発明は、上記した従来技術における問題点を解消すべく創案されたもので、蓋体の他物品との引っ掛かりによる不正開放の発生を起こり難くすると共に、容器の一体成形をし易くすることを技術的課題とし、もって良好で安全に取り扱うことができると共に、簡単にかつ安価に製造することができるようにすることを目的とする。
【０００８】
【課題を解決するための手段】
上記技術的課題を解決する本発明のうち、請求項１記載の発明の手段は、複数の有底収納室をリング状に配列して、内側に上下に開放した中央空所を形成して容器体を構成し、各収納室に開閉用の蓋体をヒンジにより一体結合した合成樹脂製集合容器であること、ヒンジを容器体の外側に位置させること、収納室の閉状態で、蓋体の先端部分である指掛け片を、容器体の内側である中央空所に突出させる構成としたこと、
周方向に沿って隣り合ったヒンジ間に、このヒンジに近接して、このヒンジの側端角部に、指先等が強く引っ掛かるもしくは押し付けられるのを阻止する、ヒンジの側端の高さと略等しい突出高さのガード突片を突設させる構成としたこと、
にある。
【０００９】
各収納室の閉状態では、蓋体の指掛け片は、集合容器の内側である中央空所に突出しているので、この指掛け片が他物品に引っ掛かって、蓋体が不正開放することは殆どない。
【００１０】
閉姿勢の蓋体の開放は、中央空所に侵入させた指先で目的とする指掛け片を引っ掛け、そのまま引き上げることにより達成する。
【００１１】
各蓋体は、容器体の外側で各収納室にヒンジを介して連結されているので、閉姿勢から開方向に１８０度回動させた開姿勢では、略容器体の上面と同じ仮想面上に位置すると共に、相互間に間隔を開けた放射状に位置するので、容器を一体成形することのできる金型装置の構造が簡単となる。
【００１２】
また、周方向に沿って隣り合ったヒンジ間に、このヒンジに近接して、ヒンジの側端角部に、指先等が強く引っ掛かるもしくは押し付けられるのを阻止する突出高さのガード突片を突設するのが好ましい。
【００１３】
このようにガード突片を突設することにより、蓋体の閉姿勢で、容器体の外側に突出するヒンジの周方向側近に位置するガード突片が、鋭く尖った状態となっているヒンジの側端角部に、指先等が強く引っ掛かるまたは押し付けられるのを阻止し、これにより容器を安全に使用することができる。
【００１４】
ヒンジの側端角部に、指先等が強く引っ掛かるもしくは押し付けられるのを阻止できるガード突片の突出高さとしては、ヒンジの側端の高さよりもおおきければ良いのであるが、集合容器の取扱い上および外観体裁上から、ヒンジの側端と略等しい程度に設定するのが有利である。
【００１５】
請求項２記載の発明は、請求項１記載の発明に、収納室の容量を、２種類以上に分けて設定した、ことを加えたものである。
【００１６】
この請求項２記載の発明にあっては、収納する内容物の大きさに応じて、適合した容量の収納室を選定することができるので、内容物を、その大きさに応じて適正に収納することができる。
【００１７】
【発明の実施の形態】
以下、本発明の一実施例を、図面を参照しながら説明する。集合容器は、有底筒状の収納室６をリング状に配置結合した容器体１と、各収納室６にヒンジ１４で結合された蓋体９とから構成され、全体を合成樹脂で一体成形している。
【００１８】
容器体１は、径の大きい短円筒状の外筒壁２と径の小さい短円筒状の内筒壁３とを同軸心状に配置し、両者の下端縁間をリング底壁４で連結して、有底リング筒状体を構成し、この有底リング筒状体の内部を、複数（図示実施例の場合、６個）の隔壁５により周方向に分割することにより、複数（図示実施例の場合、６個）の収納室６を、周方向に並列に配置して形成して構成され、中心部すなわち内筒壁３内を中央空所１５としたドーナツ状となっている。
【００１９】
図示実施例の場合、６個形成された収納室６の内、２個の収納室６は、他のものよりもその容量が大きく成形されており、寸法の大きい内容物の収納に適するようになっているが、容量の異なる収納室６の数、および収納室６の容量の種類の数は特定されることはなく、所望により適宜に設定される。
【００２０】
各収納室６に対応する内筒壁３部分の内周面６上端部には、係止片７が横設状に突設されている。
【００２１】
各蓋体９は、収納室６の上端開口部を覆う板状の蓋板１０の下面に、収納室６の開口端に嵌入する嵌入筒片１１を突設し、蓋板１０の先端部下面に、係止片７に乗り越え係止する係止突片１２を突設し、さらに中央空所１５に突出する蓋板１０の先端部を指掛け片１３として構成され、外周側に位置した後端縁を、容器体１の外筒壁２の外周面上端縁に、ヒンジ１４を介して一体に連結している。
【００２２】
容器体１の外筒壁２の外周面上端の、ヒンジ１４を避けた箇所には、このヒンジ１４に周方向から近接して、ヒンジ１４と略等しい突出高さのガード突片８が横設状に突設されている。
【００２３】
このガード突片８は、その突出高さがヒンジ１４と略等しく設定されているのであるが、図示実施例のように、周方向に沿った全幅範囲で同じ高さとなる構成に限定されることはなく、ヒンジ１４に近接した両側端部だけをヒンジ１４と略等しい高さとし、他部はなだらかに高さを減少させる構成としても良い。
【００２４】
図２に図示されるように、各収納室６の閉姿勢では、蓋体９の指掛け片１３が中央空所１５に位置するので、この指掛け片１３が他物品に引っ掛かることが殆どなく、これにより蓋体９の引っ掛かりによる不正開放の発生を防止することができ、また取扱い時に指先がヒンジ１４の角部に触っても、同時にガード突片８にも接触して、ヒンジ１４の角部だけが指先に圧接するのを防止するので、指先等がヒンジ１４の角部に強く引っ掛かって不快な思いをすることがない。
【００２５】
【発明の効果】
本発明は、上記した構成となっているので、以下に示す効果を奏する。請求項１記載の発明においては、他物品との引っ掛かりによる蓋体の不正開放の発生を略完全に阻止することができるので、内容物を安全に収納保持することができると共に、安心して適正な取扱いをすることができる。
【００２６】
また、各蓋体を容器体に対して平面状に展開させることができるので、容器全体の一体成形が簡単に達成でき、これにより金型装置の構造を簡単にすることができると共に、組立て作業を不要とし、もって製造原価の低減化を達成できる。
【００２７】
また、ヒンジの側端角部に対する指先等の引っ掛かりもしくは押し付けの発生を防止するので、不快な思いをすることなく、容器の安全な使用状況を得ることができる。
【００２８】
請求項２記載の発明においては、収納する内容物の大きさに応じて、適合した容量の収納室を選定することができるので、内容物を、その大きさに応じて適正に収納することができ、もって内容物の良好な収納状態を得ることができる。
【図面の簡単な説明】
【図１】  本発明の一実施例を示す、一つの蓋体を開放した全体斜視図。
【図２】  図１に示した実施例の、閉状態の全体平面図。
【図３】  図１に示した実施例の、開状態の全体平面図。
【図４】  図１に示した実施例の、開状態の全体底面図。
【図５】  図３中、Ｂ−Ｂ線に沿って切断矢視した、不規則縦断面図。
【図６】  図２中、Ａ−Ａ線に沿って切断矢視した、部分縦断面図。
【符号の説明】
１ ； 容器体
２ ； 外筒壁
３ ； 内筒壁
４ ； リング底壁
５ ； 隔壁
６ ； 収納室
７ ； 係止片
８ ； ガード突片
９ ； 蓋体
１０； 蓋板
１１； 嵌入筒片
１２； 係止突片
１３； 指掛け片
１４； ヒンジ
１５； 中央空所
【図１】
0003994141.tif 000002
【図２】
0003994141.tif 000003
【図３】
0003994141.tif 000004
【図４】
0003994141.tif 000005
【図５】
0003994141.tif 000006
【図６】
0003994141.tif 000007